(57)【要約】 【課題】  ＣＤやＤＶＤのようなスパイラル状トラックを有するディスク状記録媒体であって、ディスク記録装置の構成を複雑化させることなく、且つ、ディスク記録装置・ディスク再生装置内の主データの記録・再生用の信号処理回路の構成に変更を加えることなく、且つ、主データの再生の途中に副データを再生することや、正常に主データを再生することが可能な形態で、副データを記録したディスク状記録媒体を提供する。【解決手段】  ディスク状記録媒体１０の、主データが記録される第１のスパイラル状トラック１の間に、副データが記録される第２のスパイラル状トラック２を、ディスクの１周を超えない範囲で挿入する。【選択図】  図３
2005346765.tif 000002
【特許請求の範囲】
【請求項１】
第１のデータが記録された第１のスパイラル状トラックと、
前記第１のスパイラル状トラックの間にディスクの１周を超えない範囲で挿入され、前記第１のデータ以外の第２のデータが記録された第２のスパイラル状トラックと
を有することを特徴とするディスク状記録媒体。
【請求項２】
請求項１に記載のディスク状記録媒体において、
前記第２のスパイラル状トラックを複数本有することを特徴とするディスク状記録媒体。
【請求項３】
請求項２に記載のディスク状記録媒体において、
前記複数本の前記第２のスパイラル状トラックが、ディスクの円周方向上での位置が偏らないように配置されたことを特徴とするディスク状記録媒体。
【請求項４】
請求項１に記載のディスク状記録媒体において、
前記第１のデータには、トラック上の位置を示すコードが付加されており、
前記第２のデータは、前記コードが付加されていないとともに、前記第１のデータとは記録フォーマットが異なっていることを特徴とするディスク状記録媒体。
【請求項５】
請求項１に記載のディスク状記録媒体において、
前記第２のデータのピットの長さ及びピット間の距離が、前記第１のデータのピットの長さ及びピット間の距離の規格に従って決定されていることを特徴とするディスク状記録媒体。
【請求項６】
請求項１に記載のディスク状記録媒体において、
前記第２のスパイラル状トラックに、前記第２のデータとして、同一内容のデータが複数回繰り返して記録されていることを特徴とするディスク状記録媒体。
【請求項７】
第１のデータが記録された第１のスパイラル状トラックと、前記第１のスパイラル状トラックの間にディスクの１周を超えない範囲で挿入され、前記第１のデータ以外の第２のデータが記録された第２のスパイラル状トラックとを有するディスク状記録媒体からデータを再生するディスク再生装置において、
前記第１のスパイラル状トラックからヘッドの移動方向とは反対の方向に１トラックジャンプすることによって前記第２のスパイラル状トラックのトレースを開始させ、前記第２のスパイラル状トラックのトレースを終了したことに基づき、前記ヘッドの移動方向とは反対の方向に１トラックジャンプさせる制御手段
を備えたことを特徴とするディスク再生装置。
【請求項８】
請求項７に記載のディスク再生装置において、
前記第２のデータの記録フォーマットに対応したデータ復号手段
をさらに備えたことを特徴とするディスク再生装置。
【請求項９】
第１のデータが記録された第１のスパイラル状トラックと、前記第１のスパイラル状トラックの間にディスクの１周を超えない範囲で挿入され、前記第１のデータ以外の第２のデータが記録された第２のスパイラル状トラックとを有するディスク状記録媒体からデータを再生するディスク再生方法において、
前記第１のスパイラル状トラックからヘッドの移動方向とは反対の方向に１トラックジャンプすることによって前記第２のスパイラル状トラックのトレースを開始し、
前記第２のスパイラル状トラックのトレースを終了したことに基づき、前記ヘッドの移動方向とは反対の方向に１トラックジャンプする
ことを特徴とするディスク再生方法。
【発明の詳細な説明】
【技術分野】
【０００１】
本発明は、例えばＣＤ（Compact Disc）やＤＶＤ（Digital Versatile Disc）のようなスパイラル状トラックを有するディスク状記録媒体、並びにそうしたディスク状記録媒体からデータを再生するディスク再生装置及びディスク再生方法に関する。
【背景技術】
【０００２】
ＣＤ−ＲＯＭ，音楽ＣＤ，ビデオＣＤ，ビデオＤＶＤといったパッケージメディアには、本来のデータであるプログラムデータやオーディオデータやビデオデータ以外に、正規版のパッケージメディアであることを示すデータ（ＩＤ）や、非合法な複製を阻止するためのデータ（プロテクトコード）等を記録することが多い。
【０００３】
従来、ＣＤやＤＶＤのようなディスク状記録媒体に、本来のデータ以外のデータを記録する形態としては、次の（ａ）〜（ｃ）のようなものが提案されていた（以下、本来のデータを「主データ」と呼び、本来のデータ以外のデータを「副データ」と呼ぶ）。
【０００４】
（ａ）主データが記録されるトラックを、所定の変調波でウォブリングすることによって副データを記録する。
【０００５】
（ｂ）副データに基づいて結合ビットのビットパターンを決定する。このようにしてビットパターンが決定された結合ビットを、記録符号化された主データの所定位置に挿入する。そして、このようにして得られる符号列を記録する。（例えば、特許文献１参照。）。
【０００６】
（ｃ）主データが記録されるスパイラル状トラック（データトラック１２）の間に、副データが記録されるスパイラル状トラック（セキュリティトラック１４）を、ディスクの２周程度に亘って形成する（例えば、特許文献２参照。）。
【特許文献１】特開２００４−３９１２６号公報（段落番号００３２〜００６４、図３〜９）。
【特許文献２】特開平８−１４７７６７号公報（段落番号００２３、図１）。
【発明の開示】
【発明が解決しようとする課題】
【０００７】
しかし、上記（ａ）のようにトラックをウォブリングするためには、ディスク記録装置（再生専用の光ディスクの場合には原盤のカッティング装置）に、光変調器からのビームをウォブルさせるための偏向器や、この偏向器でのウォブル量を副データに応じて制御する制御回路を追加する必要があるので、ディスク記録装置の構成が複雑化してしまう。
【０００８】
また、上記（ｂ）のように主データそのものに副データを挿入する場合には、ディスク記録装置内の主データ記録用の信号処理回路や、ディスク再生装置内の主データ再生用の信号処理回路として、既存の回路をそのまま用いることができず、それらの信号処理回路の構成を変更する必要がある。
【０００９】
また、上記（ｃ）のように副データのスパイラル状トラック（セキュリティトラック１４）をディスクの２周程度に亘って形成した場合には、主データのスパイラル状トラック（データトラック１２）から主データを再生している途中でセキュリティトラック１４にジャンプして副データを再生した後、再びデータトラック１２の元の位置に戻って主データの再生を続けることが困難であると考えられる。
【００１０】
また、データトラック１２の再生箇所をサーチするためにトラックジャンプを行っている最中等に偶然セキュリティトラック１４に着地してしまったときには、セキュリティトラック１４のトレースが終了した後、トラックを見失うので左右のトラックに移行することになる。しかし、セキュリティトラック１４をディスクの２周程度に亘って形成した場合には、左右に同じセキュリティトラック１４が存在するので、再び同じセキュリティトラック１４に移行してしまい、セキュリティトラック１４から抜け出せなくなって主データを再生できなくなる可能性もあると考えられる。
【００１１】
実際、上記特許文献２でも、段落００２９に『通常再生時は、データトラック１２にのみアクセスし、セキュリティトラック１４にはアクセスしない。』と記載され、段落００３５に『セキュリティトラック１４をトレースし、…ディスク２０が正規のものであると判断され…データトラック１２の読み取りがユーザの指示に基づいて開始され』と記載されているように、セキュリティトラック１４の再生は、通常の再生（データトラック１２の再生）を開始する前に、正規のディスクであるか否かをチェックするためにのみ行うことが前提とされている。
【００１２】
本発明は、上述の点に鑑み、ＣＤやＤＶＤのようなスパイラル状トラックを有するディスク状記録媒体であって、上記（ａ）の場合のようにディスク記録装置の構成を複雑化させることなく、且つ、上記（ｂ）の場合のようにディスク記録装置・ディスク再生装置内の主データの記録・再生用の信号処理回路の構成に変更を加えることなく、且つ、上記（ｃ）の場合とは異なり、主データの再生の途中に副データを再生することや、正常に主データを再生することが可能な形態で、副データを記録したディスク状記録媒体を提供することを課題としている。また、本発明は、そうしたディスク状記録媒体から主データの再生途中に副データを再生することのできるディスク再生装置及びディスク再生方法を提供することも課題としている。
【課題を解決するための手段】
【００１３】
この課題を解決するために、本発明に係るディスク状記録媒体は、第１のデータが記録された第１のスパイラル状トラックと、この第１のスパイラル状トラックの間にディスクの１周を超えない範囲で挿入され、第１のデータ以外の第２のデータが記録された第２のスパイラル状トラックとを有することを特徴とする。
【００１４】
このディスク状記録媒体では、第１のデータ（主データ）が記録された第１のスパイラル状トラックの間に、第１のデータ以外の第２のデータ（副データ）が記録された第２のスパイラル状トラックが挿入されている。
【００１５】
このように、主データが記録されるトラックと、副データが記録されるトラックとが、同じ形状（スパイラル状）のトラックなので、ディスク記録装置では、主データを記録する回路を、副データを記録する回路として共用することができる。これにより、前述の従来の（ａ）の場合のようにディスク記録装置の構成が複雑化することが防止される。
【００１６】
そして、このディスク状記録媒体では、副データは主データとは別のトラックに記録されるので、主データそのものには副データは挿入されない。これにより、前述の従来の（ｂ）の場合のようにディスク記録装置・ディスク再生装置内の主データの記録・再生用の信号処理回路の構成に変更を加える必要がなくなる。
【００１７】
そして、このディスク状記録媒体では、第２のスパイラル状トラックは、ディスクの１周を超えない長さになっている。したがって、主データを再生している途中で副データを再生した後、第２のスパイラル状トラックから１トラックジャンプすれば、再び第１のスパイラル状トラックの同じ位置に戻って主データの再生を続けることができる。
【００１８】
これにより、前述の従来の（ｃ）の場合とは異なり、主データの再生の途中に副データを再生した後、容易に主データの再生を続けることができる。
【００１９】
そして、第１のスパイラル状トラックの再生箇所をサーチするためにトラックジャンプを行っている最中等に偶然第２のスパイラル状トラックに着地してしまったときには、第２のスパイラル状トラックのトレースが終了した後、トラックを見失うので左右のトラックに移行することになる。その際、第２のスパイラル状トラックの長さはディスクの１周を超えないので、左右に同じ第２のスパイラル状トラックは存在しておらず、したがって再びこの第２のスパイラル状トラックに移行してしまうことはない。
【００２０】
これにより、前述の従来の（ｃ）の場合とは異なり、主データの再生中に偶然第２のスパイラル状トラックに着地してしまっても、その後正常に主データを再生することができる。
【００２１】
なお、このディスク状記録媒体において、一例として、第２のスパイラル状トラックを複数本設けることが好適である。このように第２のスパイラル状トラックを複数本設けることにより、同一内容の副データをこれらの複数本の第２のスパイラル状トラックに記録することができるので、いずれかの第２のスパイラル状トラックから副データを再生できなかった場合にも、別の第２のスパイラル状トラックから同じ副データを再生することができるようになる。したがって、副データが正常に再生される可能性を高めることができる。
【００２２】
あるいはまた、互いに異なる内容の副データをこれらの複数本の第２のスパイラル状トラックに記録することもできるので、個々の第２のスパイラル状トラックの長さが短くても、副データの記録量を増やすことができる。
【００２３】
そして、このように第２のスパイラル状トラックを複数本設ける場合には、それらの第２のスパイラル状トラックを、ディスクの円周方向上での位置が偏らないように配置することが好適である。それにより、第２のスパイラル状トラックの存在を原因とするトラックの偏心量の増加を抑えることができる。
【００２４】
また、このディスク状記録媒体において、一例として、第１のデータ（主データ）には、トラック上の位置を示すコードを付加し、第２のデータ（副データ）は、このコードを付加しないとともに、主データとは記録フォーマットを異ならせることが好適である。
【００２５】
このように、副データにはトラック上の位置を示すコードを付加しないことにより、第１のスパイラル状トラックの再生箇所のサーチ中に偶然第２のスパイラル状トラックに着地してしまった場合にも、現在のトラック上の位置を誤検出することが防止される。
【００２６】
そして、副データの記録フォーマットを主データとは異ならせることにより、主データの再生中に偶然第２のスパイラル状トラックに着地してしまった場合にも、副データの内容が主データの一部として再生されることが防止される。
【００２７】
また、このディスク状記録媒体において、一例として、第２のデータ（副データ）のピットの長さ及びピット間の距離を、第１のデータ（主データ）のピットの長さ及びピット間の距離の規格に従って決定することが好適である。
【００２８】
それにより、第１のスパイラル状トラックから第２のスパイラル状トラックにジャンプしたり、第２のスパイラル状トラックから第１のスパイラル状トラックにジャンプしたときにも、ディスク再生装置内のＰＬＬ回路に供給される信号の周波数が突然変化することがなくなるので、ＰＬＬ回路の動作が不安定になることが防止される。
【００２９】
また、このディスク状記録媒体において、一例として、第２のスパイラル状トラックに、第２のデータ（副データ）として、同一内容のデータを複数回繰り返して記録することが好適である。
【００３０】
それにより、副データを再生するために第１のスパイラル状トラックから第２のスパイラル状トラックにジャンプするタイミングが幾分遅れた場合にも、副データを正確に再生することができるようになる。
【００３１】
次に、本発明に係るディスク再生装置は、第１のデータ（主データ）が記録された第１のスパイラル状トラックと、この第１のスパイラル状トラックの間にディスクの１周を超えない範囲で挿入され、第１のデータ以外の第２のデータ（副データ）が記録された第２のスパイラル状トラックとを有するディスク状記録媒体からデータを再生するディスク再生装置において、第１のスパイラル状トラックからヘッドの移動方向とは反対の方向に１トラックジャンプすることによって第２のスパイラル状トラックのトレースを開始させ、第２のスパイラル状トラックのトレースを終了したことに基づき、ヘッドの移動方向とは反対の方向に１トラックジャンプさせる制御手段を備えたことを特徴とする。
【００３２】
このディスク再生装置では、制御手段の制御により、ディスク状記録媒体の第１のスパイラル状トラックからヘッドの移動方向とは反対の方向に１トラックジャンプすることにより、第１のスパイラル状トラックの間に挿入されている第２のスパイラル状トラックのトレースを開始する。その後、第２のスパイラル状トラックのトレースを終了すると、ヘッドの移動方向とは反対の方向に１トラックジャンプする。
【００３３】
第２のスパイラル状トラックはディスクの１周を超えない範囲で挿入されているので、このように、第１のスパイラル状トラックからヘッドの移動方向とは反対の方向に１トラックジャンプすることによって第２のスパイラル状トラックのトレースを開始し、その後、第２のスパイラル状トラックからヘッドの移動方向とは反対の方向に１トラックジャンプすることにより、再び第１のスパイラル状トラックの同じ位置に戻ることができる。これにより、主データの再生の途中に副データを再生した後、容易に主データの再生を続けることができる。
【００３４】
なお、このディスク再生装置において、一例として、副データの記録フォーマットに対応したデータ復号手段をさらに備えることが好適である。それにより、主データの記録フォーマットと副データの記録フォーマットとが異なっている場合も、副データを再生することができるようになる。
【００３５】
次に、本発明に係るディスク再生方法は、第１のデータ（主データ）が記録された第１のスパイラル状トラックと、この第１のスパイラル状トラックの間にディスクの１周を超えない範囲で挿入され、この第１のデータ以外の第２のデータ（副データ）が記録された第２のスパイラル状トラックとを有するディスク状記録媒体からデータを再生するディスク再生方法において、第１のスパイラル状トラックからヘッドの移動方向とは反対の方向に１トラックジャンプすることによって前記第２のスパイラル状トラックのトレースを開始し、第２のスパイラル状トラックのトレースを終了したことに基づき、このヘッドの移動方向とは反対の方向に１トラックジャンプすることを特徴とする。
【００３６】
このディスク再生方法では、ディスク状記録媒体の第１のスパイラル状トラックからヘッドの移動方向とは反対の方向に１トラックジャンプすることにより、第１のスパイラル状トラックの間に挿入されている第２のスパイラル状トラックのトレースを開始する。その後、第２のスパイラル状トラックのトレースを終了すると、ヘッドの移動方向とは反対の方向に１トラックジャンプする。
【００３７】
第２のスパイラル状トラックはディスクの１周を超えない範囲で挿入されているので、このように、第１のスパイラル状トラックからヘッドの移動方向とは反対の方向に１トラックジャンプすることによって第２のスパイラル状トラックのトレースを開始し、その後、第２のスパイラル状トラックからヘッドの移動方向とは反対の方向に１トラックジャンプすることにより、再び第１のスパイラル状トラックの同じ位置に戻ることができる。これにより、主データの再生の途中に副データを再生した後、容易に主データの再生を続けることができる。
【発明の効果】
【００３８】
本発明に係るディスク状記録媒体によれば、主データ（本来のデータ）が記録される第１のスパイラル状トラックと、副データ（本来のデータ以外のデータ）が記録される第２のスパイラル状トラックとが同じ形状なので、ディスク記録装置において、主データを記録する回路を、副データを記録する回路として共用することができ、したがって、ディスク記録装置の構成の複雑化を防止できるという効果が得られる。
【００３９】
また、主データそのものに副データが挿入されないので、ディスク記録装置・ディスク再生装置内の主データの記録・再生用の信号処理回路の構成に変更を加える必要がなくなるという効果が得られる。
【００４０】
また、第２のスパイラル状トラックはディスクの１周を超えない長さになっているので、主データの再生の途中に副データを再生した後、容易に主データの再生を続けることができるという効果や、主データの再生中に偶然第２のスパイラル状トラックに着地してしまっても、その後正常に主データを再生することができるという効果が得られる。
【００４１】
さらに、第２のスパイラル状トラックを複数本設けることにより、ディスク半径方向でのトラックの偏心成分の増加を抑えつつ、副データが正常に再生される可能性を高めたり、副データの記録量を増やすことができるという効果が得られる。
【００４２】
そして、このように第２のスパイラル状トラックを複数本設ける場合に、それらの第２のスパイラル状トラックを、ディスクの円周方向上での位置が偏らないように配置することにより、トラックの偏心量の増加を抑えることができるという効果が得られる。
【００４３】
さらに、主データにはトラック上の位置を示すコードを付加し、副データは、このコードを付加しないとともに主データとは記録フォーマットを異ならせることにより、第１のスパイラル状トラックの再生箇所のサーチ中に偶然第２のスパイラル状トラックに着地してしまった場合にも、現在のトラック上の位置を誤検出することを防止できるという効果や、主データの再生中に偶然第２のスパイラル状トラックに着地してしまった場合にも、副データの内容が主データの一部として再生されることを防止できるという効果が得られる。
【００４４】
さらに、副データのピットの長さ及びピット間の距離を、主データのピットの長さ及びピット間の距離の規格に従って決定することにより、ディスク再生装置内のＰＬＬ回路に供給される信号の周波数が突然変化することがなくなるので、ＰＬＬ回路の動作が不安定になることを防止できるという効果が得られる。
【００４５】
さらに、第２のスパイラル状トラックに、副データとして同一内容のデータを複数回繰り返して記録することにより、副データを再生するために第１のスパイラル状トラックから第２のスパイラル状トラックにジャンプするタイミングが幾分遅れた場合にも、副データを正確に再生することができるという効果が得られる。
【００４６】
次に、本発明に係るディスク再生装置によれば、主データが記録された第１のスパイラル状トラックと、この第１のスパイラル状トラックの間にディスクの１周を超えない範囲で挿入され、副データが記録された第２のスパイラル状トラックとを有するディスク状記録媒体（本発明に係るディスク状記録媒体）からデータを再生する際に、主データの再生の途中に副データを再生した後、容易に主データの再生を続けることができるという効果が得られる。
【００４７】
さらに、副データの記録フォーマットに対応したデータ復号手段を備えることにより、主データの記録フォーマットと副データの記録フォーマットとが異なっている場合も、副データを再生することができるという効果が得られる。
【００４８】
次に、本発明に係るディスク再生方法によれば、主データが記録された第１のスパイラル状トラックと、この第１のスパイラル状トラックの間にディスクの１周を超えない範囲で挿入され、副データが記録された第２のスパイラル状トラックとを有するディスク状記録媒体（本発明に係るディスク状記録媒体）からデータを再生する際に、主データの再生の途中に副データを再生した後、容易に主データの再生を続けることができるという効果が得られる。
【発明を実施するための最良の形態】
【００４９】
以下、再生専用の光ディスク（ＣＤやＤＶＤ）及び光ディスク再生装置に本発明を適用した例について、図面を用いて具体的に説明する。
【００５０】
〔通常の光ディスクのトラック構成〕
本発明による光ディスクのトラック構成を説明する前に、まず、通常の再生専用の光ディスクのトラック構成を説明する。
【００５１】
再生専用の光ディスクでは、光学的な反射面上に微細な窪み（ピット）をスパイラル状に並べて形成することによってデータを記録しており、この１本のスパイラル状のピット列がトラックと呼ばれる。
【００５２】
図１は、通常の再生専用ＣＤのトラックの全体形状を示す図である。データの記録開始内径，記録終了内径は、それぞれ５０ｍｍ，１１６ｍｍに規定されている。したがって、ディスク一周あたりのトラック１の長さは、最内周で約１５７ｍｍになり、最大外周で約３６５ｍｍになる。トラックピッチは、標準で１．６μｍに規定されている。
【００５３】
図２は、このトラック１を構成しているピットを示す図である。ピット３の長さおよび各ピット３間（ランド）の距離は、１Ｔを基準として、３Ｔから１１Ｔまでの１Ｔの整数倍に規定されている。１Ｔの値は、線速度（１．２〜１．４ｍ／ｓｅｃ）と、再生クロックの周波数４．３２１８ＭＨｚとによって決まる。例えば線速度が１．２ｍ／ｓｅｃの場合には、１Ｔ＝１．２／４．３２１８≒０．２７７μｍになる。
【００５４】
トラック１は、５８８Ｔの長さが１つのシンクフレームとされる（さらに、ＣＤ−ＲＯＭの場合には、９８シンクフレームで１つのサブコードフレームが構成される）。各シンクフレームには、ＥＦＭ変調された（ビデオＣＤの場合にはさらにＭＰＥＧ等で圧縮された）データが記録されるとともに、トラック上の位置を示すアドレス（分・秒・フレームという時間情報）等を含むサブコードが付加される。
【００５５】
なお、ＤＶＤの場合には、高密度化を実現するために、データの記録開始内径が４８ｍｍに規定されるとともに、トラックピッチが０．７４μｍに規定されている。また、ピット３の長さおよび各ピット間の距離は、１Ｔを基準として、３Ｔから１１Ｔまでの１Ｔの整数倍または１３Ｔに規定されている。線速度は３．４９ｍ／ｓｅｃであり、再生クロック周波数は２６．１６ＭＨｚなので、１Ｔの値は３．４９／２６．１６≒０．１３３μｍになる。
【００５６】
〔本発明による光ディスクのトラック構成〕
次に、本発明による光ディスクのトラック構成を説明する。図３は、本発明による再生専用ＣＤのトラックの全体形状の一例を示す図であり、図１と共通する部分には同一符号を付している。このＣＤ１０では、図１に示したトラック１（ここでは「本トラック」と呼ぶことにする）の間に、本トラック１と同じ形状（スパイラル状）の２本のトラック２（「間挿トラック」と呼ぶことにする）が挿入されている。
【００５７】
各間挿トラック２の長さは、それぞれディスクの１／３周程度であり、したがってディスクの１周を超えない範囲になっている。各間挿トラック２は、ディスク中心からみてディスクの円周方向上で互いに反対の位置に配置されており、したがって、ディスクの円周方向上での位置が偏らないように配置されている。また、一方の間挿トラック２ともう一方の間挿トラック２との間には、本トラック１の４周分程度の距離があけられている。
【００５８】
ディスク半径方向の本トラック１と間挿トラック２とのピッチは１．６μｍ（再生専用ＣＤの標準のトラックピッチと同じ）になっており、したがって、間挿トラック２が存在する箇所での本トラック１のピッチは３．２μｍになっている。また、間挿トラック２が存在しない箇所での本トラック１のピッチは１．６μｍになっている。そのため、本トラック１のピッチは、間挿トラック２が存在する箇所の手前で１．６μｍよりも拡大し始め、間挿トラック２が存在する箇所で３．２μｍにまで拡大して拡大を終了し、間挿トラック２が存在する箇所の後方で縮小を開始して１．６μｍに戻っている。
【００５９】
この本トラック１の拡大開始位置から拡大終了位置までの長さ（及び縮小開始位置から縮小終了位置までの長さ）は、次のようにして決定している。光ディスクにはトラックの偏心量の上限が規定されており、例えばＣＤの場合には７０μｍである。ここで、再生時に偏心によってトラックが半径方向へ振れる場合、振れの速度が最大になるのは、ディスクの最内周を再生している場合である。ＣＤの場合、前述のように最内周のディスク一周あたりのトラックの長さは約１５７ｍｍなので、最内周のディスク半周あたりのトラックの長さである約７８．５ｍｍで偏心量分の振れが生じる。
【００６０】
ディスク再生装置のトラッキングサーボ系のマージンを考慮して、偏心量を７μｍ（規定値の１０％）にしようとすると、この７８．５ｍｍあたりの振れを７μｍに収めなければならない。そこで、本トラック１の拡大開始位置から拡大終了位置までの長さ（及び縮小開始位置から縮小終了位置までの長さ）を、少なくとも７８．５×（１．６／７）≒１８ｍｍ以上に決定している。
【００６１】
図４は、本トラック１，間挿トラック２を構成しているピットを示す図であり、図２と共通する部分には同一符号を付している。間挿トラック２を構成するピット４の長さおよび各ピット４間（ランド）の距離は、本トラック１を構成するピット３の長さおよび各ピット３間の距離と同じく、１Ｔを基準として、３Ｔから１１Ｔまでの１Ｔの整数倍に決定している。
【００６２】
間挿トラック２には、本トラック１の記録データ（プログラムデータ，オーディオデータ，ビデオデータといった本来のデータである主データ）の変調方式であるＥＦＭ変調とは異なる変調方式で変調された副データ（本来のデータ以外のデータ）が記録されている。この副データの符号化方式としては、例えばＦＭ変調を挙げることができる。しかし、ＥＦＭ変調以外の変調方式であれば、如何なるものであってもよい。
【００６３】
また、間挿トラック２に記録する副データの具体的な種類としては、例えば次の（１），（２）のようなものを挙げることができる。
（１）ＣＤ−ＲＯＭ，音楽ＣＤ，ビデオＣＤ，ビデオＤＶＤといったパッケージメディアにおける、正規版のパッケージメディアであることを示すＩＤ。
（２）主データの一部または全部が暗号化されている場合に、その暗号化された部分を解読するための暗号キー。
【００６４】
ＣＤ１０の本トラック１から再生した主データを他のＣＤに記録しても、間挿トラック２に記録されている副データはそのＣＤには記録されない。そこで、上記（１）のように、正規版のパッケージメディアであることを示すＩＤを間挿トラック２に記録すれば、非合法に複製されたパッケージメディアにはこのＩＤが存在しないので、正規版のパッケージメディアと非合法に複製されたパッケージメディアとを識別することができる。
【００６５】
また、上記（２）のように、主データのうちの暗号化された部分を解読するための暗号キーを間挿トラック２に記録すれば、非合法に複製されたパッケージメディアにはこの暗号キーが存在しないので、非合法に複製されたパッケージメディアから主データが正常に再生されることを防止することができる。しかし、間挿トラック２に記録する副データは、主データと異なる種類のものであれば、如何なるものであってもよい。
【００６６】
間挿トラック２には、スタートビットに続いてこの副データの内容が全て記録された後ストップビットが記録され、再びスタートビットに続いて同じ副データの内容が全て記録された後ストップビットが記録され、…というようにして、同一内容の副データが複数回繰り返して記録されている。また、間挿トラック２には、トラック上の位置等を示すサブコードとしてデコード可能なデータは付加されていない。
【００６７】
このＣＤ１０では、主データが記録される本トラック１と、副データが記録される間挿トラック２とが、同じ形状（スパイラル状）のトラックなので、ディスク記録装置（ここでは原盤のカッティング装置）では、主データを記録する回路を、副データを記録する回路として共用することができる。これにより、カッティング装置の構成が複雑化することが防止される。
【００６８】
そして、このＣＤ１０では、副データは主データとは別のトラックに記録されるので、主データそのものには副データは挿入されない。これにより、カッティング装置内の主データ記録用の信号処理回路やディスク再生装置内の主データ再生用の信号処理回路の構成に変更を加える必要がなくなる。
【００６９】
そして、このＣＤ１０では、間挿トラック２は、ディスクの１周を超えない長さになっている。したがって、主データを再生している途中で副データを再生した後、間挿トラック２から１トラックジャンプすれば、再び本トラック１の同じ位置に戻って主データの再生を続けることができる。
【００７０】
これにより、主データの再生の途中に副データを再生した後、容易に主データの再生を続けることができる。
【００７１】
そして、本トラック１の再生箇所をサーチするためにトラックジャンプを行っている最中等に偶然間挿トラック２に着地してしまったときには、間挿トラック２のトレースが終了した後、トラックを見失うので左右のトラックに移行することになる。その際、間挿トラック２の長さはディスクの１周を超えないので、左右に同じ間挿トラック２は存在しておらず、したがって再び同じ間挿トラック２に移行してしまうことはない。また、２本の間挿トラック２の間には本トラック１の４周分程度の距離があけられているので、別の間挿トラック２に移行してしまうこともない。
【００７２】
これにより、主データの再生中に偶然間挿トラック２に着地してしまっても、その後正常に主データを再生することができる。
【００７３】
さらに、同一内容の副データを２本の間挿トラック２に記録することができるので、一方の間挿トラック２から副データを再生できなかった場合にも、もう一方の間挿トラック２から同じ副データを再生することができるようになる。したがって、副データが正常に再生される可能性を高めることができる。
【００７４】
あるいはまた、互いに異なる内容の副データを２本の間挿トラック２に記録することもできるので、個々の間挿トラック２の長さが短くても、副データの記録量を増やすことができる。
【００７５】
そして、この２本の間挿トラック２が、ディスクの円周方向上での位置が偏らないように配置されているので、間挿トラック２の存在を原因とするトラックの偏心量の増加を抑えることができる。
【００７６】
さらに、副データにはトラック上の位置等を示すサブコードとしてデコード可能なデータが付加されていないので、本トラック１の再生箇所のサーチ中に偶然間挿トラック２に着地してしまった場合にも、現在のトラック上の位置を誤検出することが防止される。
【００７７】
さらに、副データの記録フォーマット（変調方式）が主データとは異っているので、主データの再生中に偶然間挿トラック２に着地してしまった場合にも、主データ用の復調回路では副データは復調されず（でたらめなデータとしてしか再生されず）、したがって副データの内容が主データの一部として再生されることが防止される。
【００７８】
さらに、副データのピットの長さ及びピット間の距離が、主データのピットの長さ及びピット間の距離の規格に従って３Ｔから１１Ｔまでの１Ｔの整数倍に決定されているので、本トラック１から間挿トラック２にジャンプしたり、間挿トラック２から本トラック１にジャンプしたときにも、光ディスク再生装置内のＰＬＬ回路にＲＦアンプから供給される２値化信号の周波数が突然変化することがなくなるので、ＰＬＬ回路の動作が不安定になることが防止される。
【００７９】
さらに、間挿トラック２に副データとして同一内容のデータが複数回繰り返して記録されているので、副データを再生するために本トラック１から間挿トラック２にジャンプするタイミングが幾分遅れた場合にも、副データを正確に再生することができる。
【００８０】
なお、ここでは再生専用ＣＤについて説明したが、再生専用ＤＶＤについても、ＣＤとＤＶＤとでのデータ記録開始内径やトラックピッチ等の相違に応じて本トラック拡大開始位置から拡大終了位置までの長さ等の数値を変更しつつ、同様にして間挿トラックを挿入してよい。
【００８１】
〔本発明による光ディスク再生装置の構成〕
次に、本発明による光ディスク再生装置の構成を説明する。図５は、本発明による光ディスク再生装置（ここではビデオＣＤプレーヤーとする）の構成例を示すブロック図である。
【００８２】
スピンドルモータ１１上で回転するＣＤ３０から光ピックアップ１２によって読み取られたＲＦデータが、ＲＦアンプ１３で‘０’，‘１’の信号に２値化される。そして、この２値化信号から、ＰＬＬ回路１４によってクロック抽出・ピットの抜き出しが行われる。
【００８３】
この光ディスク再生装置には、通常の光ディスク再生装置に設けられているのと同じ構成の復調回路（データのＥＦＭ復調や、サブコードの復調や、フレームの同期検出を行う信号処理回路）１５が設けられるとともに、副データ復調回路１６が設けられている。副データ復調回路１６は、図３に示したＣＤ１０の間挿トラック２の副データの変調方式に対応した復調回路である。ＰＬＬ回路１３の出力は、復調回路１５，副データ復調回路１６にそれぞれ送られる。
【００８４】
復調回路１５で復調されたデータは、ＣＤ−ＲＯＭデコーダ１８に送られる。ＣＤ−ＲＯＭデコーダ１８では、データの誤り訂正が行わる。ＣＤ−ＲＯＭデコーダ１８で誤り訂正されたビデオデータ，オーディオデータは、それぞれビデオデコーダ１９，オーディオデコーダ２０に送られてデコード（伸張）される。また、復調回路１５で復調されたサブコードは、この光ディスク再生装置全体を制御するコントローラ２１に送られる。
【００８５】
副データ復調回路１６で復調されたデータは、コントローラ２１に送られる。コントローラ２１内のメモリには、図３に示したＣＤ１０の各間挿トラック２の位置を示す位置情報として、各間挿トラック２の開始位置のすぐ外周に位置する本トラック１のシンクフレームのアドレス（分・秒・フレームの時間情報）が記録されている。なお、サーボ系１７は、通常の光ディスク再生装置に設けられているのと同じ構成のトラッキングサーボ回路，フォーカスサーボ回路，スレッドサーボ回路及びモータ回転制御回路である。
【００８６】
図６は、コントローラ２１が、図３のＣＤ１０（ここではビデオＣＤとする）の本トラック１からのビデオデータ，オーディオデータの再生の途中に、間挿トラック２から副データを再生するために実行する副データ再生処理を示すフローチャートである。また、図７は、この副データ再生処理による本トラック１及び間挿トラック２のトレースの様子を示す図である。
【００８７】
この副データ再生処理では、本トラック１を最内周からトレースし始める（図７の丸印１）のと同時に、復調回路１５から送られる現在のシンクフレームのアドレス（分・秒・フレームの時間情報）と、コントローラ２１内のメモリに間挿トラック２の位置情報として記憶されているアドレスとを照合する（ステップＳ１）。そして、この照合結果に基づき、間挿トラック２の開始位置のすぐ外周に位置するシンクフレーム（図７のシンクフレームＦｎ）に到達したか否かを判断する（ステップＳ２）。
【００８８】
ノーであれば、ステップＳ１に戻ってステップＳ１及びＳ２を繰り返す。そして、このシンクフレームＦｎに到達する（図７の丸印２）と、このシンクフレームＦｎのトレースを終了した後、ディスク内周方向（すなわち図５の光ピックアップ１２のヘッドの移動方向とは反対の方向）に１トラックジャンプする（ステップＳ３）（図７の丸印３）。これにより、間挿トラック２のトレースが開始される（図７の丸印４）。
【００８９】
続いて、図５の副データ復調回路１６で副データ（間挿トラック２に複数回記録されている同一内容の副データのうちの一回分のデータ）の再生が正常に終了したか、または間挿トラック２のトレースが終了するかのいずれかの条件が満たされたか否かを繰り返し判断する（ステップＳ４）。
【００９０】
そして、イエスになると、ディスク内周方向に１トラックジャンプする（ステップＳ５）。（図７の丸印５。なお、図７では、間挿トラック２の区間Ｘ−Ｙから１回分の副データが正常に再生されたことに基づいてディスク内周方向に１トラックジャンプした様子を示している。）これにより、本トラック１のシンクフレームＦｎよりも手前の位置に戻る（図７の丸印６）ので、ディスクが１周弱（２／３周程度）回転した後に、シンクフレームＦｎよりも後のシンクフレームのトレースが続けられる。
【００９１】
続いて、前出のステップＳ３において副データの再生が正常に終了するという条件が満たされたのか否かを判断する（ステップＳ６）。
【００９２】
イエスであれば、処理を終了する。他方ノーであれば、図３の間挿トラック２を２本ともトレースしたか否かを判断する（ステップＳ７）。
【００９３】
イエスであれば、処理を終了する。他方ノーであれば、ステップＳ１に戻り、２本目の（ディスク外周寄りの）間挿トラック２をトレースするためにステップＳ１〜Ｓ７を繰り返す。
【００９４】
なお、図６では、２本の間挿トラック２に同一内容の副データが記録されていることを前提にして、１本目の間挿トラック２から副データが正常に再生された場合には２本目の間挿トラック２をトレースすることなく処理を終了している（ステップＳ６）。しかし、２本の間挿トラック２に互いに異なる副データが記録されている場合には、常に２本目の間挿トラック２もトレースする（ステップＳ６の処理をなくし、ステップＳ５から直ちにステップＳ７に移行する）ようにすればよい。
【００９５】
このように、この光ディスク再生装置では、コントローラ２１の制御により、ＣＤ１０の本トラック１からディスク内周方向（光ピックアップ１２のヘッドの移動方向とは反対の方向）に１トラックジャンプすることにより、本トラック１の間に挿入されている間挿トラック２のトレースを開始する。その後、間挿トラック２のトレースを終了すると、ディスク内周方向に１トラックジャンプする。
【００９６】
間挿トラック２はディスクの１周を超えない範囲で挿入されているので、このように、本トラック１からディスク内周方向に１トラックジャンプすることによって間挿トラック２のトレースを開始し、その後、間挿トラック２からディスク内周方向に１トラックジャンプすることにより、再び本トラック１の同じ位置に戻ることができる。これにより、主データの再生の途中に副データを再生した後、容易に主データの再生を続けることができる。
【００９７】
そして、この光ディスク再生装置には、ＣＤ１０の副データの記録フォーマット（変調方式）に対応した副データ復調回路１６が設けられているので、主データとは変調方式が異なる副データを再生することができる。
【００９８】
なお、前述のように、ＣＤ１０の間挿トラック２に記録する副データの具体的な種類としては、次の（１），（２）のようなものを挙げることができる。
（１）ＣＤ−ＲＯＭ，音楽ＣＤ，ビデオＣＤ，ビデオＤＶＤといったパッケージメディアにおける、正規版のパッケージメディアであることを示すＩＤ。
（２）主データの一部または全部が暗号化されている場合に、その暗号化された部分を解読するための暗号キー。
【００９９】
上記（１）のように正規版のパッケージメディアであることを示すＩＤが間挿トラック２に記録されている場合には、図６の副データ再生処理の後、コントローラ２１は、例えばＩＤが再生された場合にのみビデオデコーダ１８，オーディオデコーダ１９からビデオデータ，オーディオデータを出力させるようにすればよい。それにより、非合法に複製されたパッケージメディア（ＩＤが存在しないパッケージメディア）からコンテンツが再生されることを防止できるようになる。
【０１００】
また、上記（２）のように主データの暗号化部分を解読するための暗号キーが間挿トラック２に記録されている場合には、例えばビデオデコーダ１９，オーディオデコーダ２０の後段に、この暗号キーを用いてビデオデータ，オーディオデータの暗号化部分を解読する回路を設けるようにすればよい。それにより、非合法に複製されたパッケージメディア（暗号キーが存在しないパッケージメディア）からコンテンツが正常に再生されることを防止できるようになる。
【０１０１】
ここでは光ディスク再生装置の例としてビデオＣＤプレーヤーを挙げたが、ＣＤ−ＲＯＭドライブやオーディオＣＤプレーヤーやＤＶＤプレーヤーについても、同様にして、副データ復調回路を設けるとともにコントローラに図６の副データ再生処理を実行させてよい。
【０１０２】
また、図６の例では、間挿トラック２の位置情報を、光ディスク再生装置のコントローラ内のメモリに記録している。しかし、別の例として、ＣＤ１０自体に、ＴＯＣの一部として間挿トラック２の位置情報を記録するようにしてもよい。
【０１０３】
また、図３の例では２本の間挿トラックを設けているが、間挿トラックを１本だけ設けたり、あるいは、間挿トラックを３本以上設けるようにしてもよい。
【０１０４】
また、以上の例では、ＣＤ，ＤＶＤや光ディスク再生装置に本発明を適用している。しかし、本発明は、スパイラル状トラックを有するあらゆるディスク状記録媒体や、そうしたディスク状記録媒体からデータを再生するあらゆるディスク再生装置に適用してよい。
【図面の簡単な説明】
【０１０５】
【図１】通常の再生専用ＣＤのトラックの全体形状を示す図である。
【図２】図１のトラックを構成しているピットを示す図である。
【図３】本発明による再生専用ＣＤのトラックの全体形状の一例を示す図である。
【図４】図３の本トラック，間挿トラックを構成しているピットを示す図である。
【図５】本発明による光ディスク再生装置の構成例を示すブロック図である。
【図６】図５のコントローラが実行する副データ再生処理を示すフローチャートである。
【図７】図６の処理による本トラック及び間挿トラックのトレースの様子を示す図である。
【符号の説明】
【０１０６】
１  トラック（本トラック）、  ２  間挿トラック、  ３  本トラックのピット、  ４  間挿トラックのピット、  １０  ＣＤ、  １６  副データ復調回路、  ２１  コントローラ
【図１】
2005346765.tif 000003
【図２】
2005346765.tif 000004
【図３】
2005346765.tif 000005
【図４】
2005346765.tif 000006
【図５】
2005346765.tif 000007
【図６】
2005346765.tif 000008
【図７】
2005346765.tif 000009